(57)【要約】【課題】携帯電話のイヤホンの機能を利用して携帯電話により作動制御を行うカード型バイブレーターを提供する。【解決手段】携帯電話に接続される接続コードと、上記接続コードを介して携帯電話に接続されるバイブレーター本体を有するカード型バイブレーターであって、上記バイブレーター本体は、駆動電源を供給しうる電源部と、上記電源部から供給される電源により駆動し、振動を発生させうる駆動部と、上記駆動部により駆動される振動板と、上記振動板の振動が伝達されて振動するケースとを有し、上記接続コードは、上記携帯電話の着信音を感知した場合には上記電源部に対して、駆動部に電源を供給する信号を発信すると共に、上記着信音の次回の着信音を感知した場合には上記電源部に対して、駆動部への電源の供給を停止する信号を発信する制御部を有する。【選択図】  図１
0003126075.tif 000002
【実用新案登録請求の範囲】
【請求項１】
携帯電話に接続される接続コードと、上記接続コードを介して携帯電話に接続されるバイブレーター本体を有し、携帯電話により作動制御されるカード型バイブレーターであって、
上記バイブレーター本体は、駆動電源を供給しうる電源部と、上記電源部から供給される電源により駆動し、振動を発生させうる駆動部と、上記駆動部により駆動される振動板と、上記振動板の振動が伝達されて振動するケースとを有し、
上記接続コードは、上記携帯電話の着信音を感知した場合には上記電源部に対して駆動部に電源を供給する信号を発信すると共に、上記着信音の次回の着信音を感知した場合には上記電源部に対して駆動部への電源の供給を停止する信号を発信する制御部を有することを特徴とするカード型バイブレーター。
【請求項２】
上記制御部は、制御プログラムを備えるＩＣにより形成されていることを特徴とする請求項１記載のカード型バイブレーター。
【請求項３】
上記ケースは平面細長長方形状であって、長さ方向および幅方向において湾曲したケース本体部と、上記ケース本体部の身体当接面部に設けられた凸部とを有することを特徴とする請求項１記載のカード型バイブレーター。
【請求項４】
上記バイブレーター本体には、上記電源部の駆動電源を供給させうる手動スイッチが設けられていることを特徴とする請求項１記載のカード型バイブレーター。
【請求項５】
上記ケース本体は、携帯電話と略同様の大きさであって、上着のポケットに入る大きさに形成されていることを特徴とする請求項１記載のカード型バイブレーター。
【考案の詳細な説明】
【技術分野】
【０００１】
本考案はカード型バイブレーターに係り、特に、携帯電話により作動制御しうるカード型バイブレーターで関する。
【背景技術】
【０００２】
従来より、身体の凝りをほぐす各種の携帯用バイブレーターが使用されている。このような各種の携帯用バイブレーターは、バイブレーター本体に装備されている電源スイッチをＯＮ／ＯＦＦ作動させることにより、駆動又は停止制御をするように構成されている。
【０００３】
しかしながら、このような従来の携帯用バイブレーターは、小型化されているものではあるが、なおバッグに収納して持ち運ぶ必要のある大きさであり、携帯に不便な場合があった。
一方、近年広く普及している携帯電話のイヤホンには様々な機能が組み込まれている。例えば、携帯電話の音声を聴取する本来のイヤホン機能の他、マイク機能や、携帯電話への受信信号をピックアップして携帯電話側の機能を制御する機能、例えば、着信音の発声を携帯電話本体側から行わず、イヤホン側へ音声として伝達する機能も備えている。
【０００４】
この場合、上記ピックアップ機能に関しては、携帯電話へのある時点での着信時に何らかの機能を作動させ、次回の着信時には当該機能の作動を停止するようなプログラムにより構成されている。
【考案の開示】
【考案が解決しようとする課題】
【０００５】
従って、上記イヤホンのピックアップ機能をバイブレーターに利用してバイブレーターの作動制御を行うことができる。
従来、このような携帯電話のイヤホンのピックアップ機能を利用したカード型バイブレーターは存在しなかった。本件出願人はこのような観点か従来の技術文献を調査したが、関連する公報を発見できなかった。
【０００６】
そこで、本考案の課題は、携帯電話のイヤホンの機能を利用して携帯電話により作動制御を行うカード型バイブレーターを提供することにある。
【課題を解決するための手段】
【０００７】
請求項１記載の考案にあっては、携帯電話に接続される接続コードと、上記接続コードを介して携帯電話に接続されるバイブレーター本体を有するカード型バイブレーターであって、上記バイブレーター本体は、駆動電源を供給しうる電源部と、上記電源部から供給される電源により駆動し、振動を発生させうる駆動部と、上記駆動部により駆動される振動板と、上記振動板の振動が伝達されて振動するケースとを有し、上記接続コードは、上記携帯電話の着信音を感知した場合には上記電源部に対して、駆動部に電源を供給する信号を発信すると共に、上記着信音の次回の着信音を感知した場合には上記電源部に対して、駆動部への電源の供給を停止する信号を発信する制御部を有することを特徴とする。
【０００８】
従って、請求項１記載の考案にあっては、携帯電話に接続された接続コードが携帯電話への着信音を感知した場合には、バイブレーター本体の電源部へ駆動電源の供給を行う信号を発することから、上記電源部は上記駆動部へ電源を供給することから、上記駆動部は駆動し、振動を発生させ振動板は振動することによりケースへ振動が伝達され、バイブレーター本体が振動を身体に伝える。
その後、次回の着信受信した場合には、上記電源部へ電源の供給を停止する信号を発し、電源部は駆動部への電源供給を停止することから、駆動部は駆動を停止する。
【０００９】
請求項２記載の考案にあっては、上記制御部は、制御プログラムを備えるＩＣにより形成されていることを特徴とする。
請求項３記載の考案にあっては、上記ケースは平面細長長方形状であって、長さ方向および幅方向において湾曲した身体当接面部を有するケース本体部と、上記ケース本体部の身体当接面部に設けられた凸部とを有している。
【００１０】
従って、請求項３記載の考案にあっては、上記身体当接面部は長さ方向及び幅方向に湾曲していることから、身体の凝っている適宜部位に違和感無くフィットする。また、上記凸部は特に凝りの強い部分に圧接することができる。
請求項４記載の考案にあっては、上記バイブレーター本体には、上記電源部の駆動電源を供給させうる手動スイッチが設けられていることを特徴とする。
従って、請求項４記載の考案にあっては、手動スイッチを操作することにより、携帯電話によることなく、バイブレーター本体側で作動を制御することもできる。
【００１１】
請求項５記載の考案にあっては、上記ケース本体は、上記携帯電話と略同一の大きさであって、上着のポケットに入る大きさに形成されていることを特徴とする。
従って、請求項５記載の考案にあっては、携帯電話と略同様の大きさで、携帯に非常に簡便なカード型のバイブレーターを提供することができる。
【考案の効果】
【００１２】
従って、請求項１および２記載の考案にあっては、送信側の携帯電話により受信側の携帯電話に接続されたカード型バイブレーターの作動を制御することができる、
また、請求項３記載の考案にあっては、身体当接面部は、平面細長長方形状であって、長さ方向において湾曲して形成されていることから、凝りの発生している部位全体に当接させて部位全体を広くマッサージすることができる。
また、上記凸部を凝りのより強い部位に強く圧接することにより、当該懲りを集中的にほぐすことができる。
【００１３】
従って、凝りの最も強い部位を上記凸部を利用して集中的にほぐすことができると共に、凝りの強い部位の周囲に広がっている凝り全体の部分に身体当接面部を押し付けることにより広く筋肉をほぐすことが可能となる。
また、請求項４記載の考案にあっては、携帯電話を介することなく、バイブレーター本体側で駆動制御を行うことができるため、
【００１４】
また、請求項５記載の考案にあっては、携帯電話と同様の大きさで、上着のポケットにも入る大きさであって、非常に携帯に便利なカード型バイブレーターを提供することができる。
【考案を実施するための最良の形態】
【００１５】
以下、図面を用いて本考案の実施の形態について説明する。
図１に示すように、本実施の形態に係るカード型バイブレーター１０は、携帯電話に接続される接続コード１１と、上記接続コード１１を介して携帯電話１２に接続されるバイブレーター本体１３を有する。
【００１６】
図２に示すように、上記バイブレーター本体１３は、駆動電源を供給しうる電源部１４と、上記電源部１４から供給される電源により駆動し、振動を発生させうる駆動部１５と、上記駆動部１５により駆動される振動板１６と、上記振動板１６の振動が伝達されて振動するケース１７とを有している。
上記ケース１７はＡＢＳ製であって、全体略薄い板状に形成され、平面細長長方形状であって、長さ方向および幅方向において湾曲したケース本体部１８と、上記ケース本体部１８の身体当接面部２９の略中央に設けられた凸部１９とを有している。
【００１７】
上記ケース１７内の長さ方向の一端部には、上記電源部１４が設けられ、バッテリーケース２０内には単５電池２３が二本収納して使用される。
また、上記電源部１４の側方には長さ方向に沿って、上記振動板１６が４つのフレーム部材２１に固定されており、この上方には上記凸部１９下方に小型モーター２７からなる駆動部１５が設けられ、適宜の電気的配線により上記電源部１４と接続されている。
【００１８】
また、後述するように、上記ケース本体部１８の裏面側に固定された接続コード１１と上記電源部１４との間には、上記携帯電話１２が送信側の携帯電話からの通話信号を受信した場合には、上記電源部１４の電源を上記駆動部１５へ供給する適宜のスイッチ回路（図示せず）が設けられている。
上記モーター２７は、偏心歯車等の適宜の伝達部材を介して上記振動板１６に回転力を伝達し得るように形成されており、上記モーター２７の駆動によって、上記振動板１６が振動する。なお、符号２２は、上記単５電池２３の交換用の蓋である。
【００１９】
また、上記ケース１７の長さ方向他端部には電源スイッチ２８が設けられており、上記電源スイッチ２８は、起動電源供給位置と、手動電源供給位置とを有している。
上記ケース本体部１８は、上記携帯電話１２と略同一の大きさに形成され、上着のポケットに入る大きさに形成されている。本実施の形態にあっては、全長１０４ｍｍであって、最大全幅寸法５０ｍｍ、最大厚さ寸法１８．４ｍｍに形成されていることから、一般の携帯電話と略同様の大きさであり、携帯電話１２と共に上着のポケットに適宜収納することができる大きさである。
【００２０】
そして、本実施の形態に係るバイブレーター本体１３にあっては、上記ケース１７の裏面部側には接続コード１１の基端部が固定され、この接続コード１１を介して、携帯電話１２に接続しうるように構成されている。
即ち、上記接続コード１１の先端部には平型タイプのコネクタ２５が設けられ、このコネクタ２５により、携帯電話１２に設けられたイヤホンジャック２６に接続しうるように構成されている。
【００２１】
上記コネクタ２５には、バイブレーター本体１３の駆動制御を行いうる制御プログラムを格納したＩＣが内蔵されており、上記携帯電話１２の着信音を感知した場合には上記電源部１４に対して、駆動部１５に電源を供給する信号を発信すると共に、上記着信音の次回の着信音を感知した場合には上記電源部１に対して、駆動部１５への電源の供給を停止する信号を発信するように構成されている。
【００２２】
以下、本実施の形態に係るカード型バイブレーター１０の作用について説明する。
上記のように、本実施の形態に係るカード型バイブレーター１０は、携帯電話１２の大きさと略同じ大きさに形成されたカードタイプのバイブレーターであることから、携帯電話１２と共に上着等のポケットに収納して随時、持ち歩くことができる。
【００２３】
従って、搬送に際して、従来の携帯用バイブレーターのようにバッグに収納して搬送する必要がないことから、持ち歩きが非常に便利であり、常に、身体に懲りを感じた場合には、必要に応じて使用することができる。
使用に際しては、あらかじめ、上記電源スイッチ２８を操作して起動電源供給位置にセットしておく。その後、送信側の携帯電話により、本実施の形態に係るカード型バイブレーター１０が接続されている受信側携帯電話１２に対して電話をかける。
【００２４】
この場合、受信側携帯電話１２が上記送信側携帯電話からの着信信号を受信した場合には、上記接続コード１１を介してバイブレーター本体１３の電源部１４に対して、状記電源部１４に対して、駆動部１５に電源を供給する信号が発される。
【００２５】
この信号が受信側の携帯電話１２により受信された場合には、上述のスイッチ回路により電源部１４から電源が駆動部１５に対して供給され、駆動部１５が作動し、この駆動部１５が上記振動板１６を振動させ、上記振動板１６の振動がフレーム部材２１を介して上記ケース１７に伝達されてケース１７が振動する。
【００２６】
従って、上記ケース１７の身体当接面部２９を、凝りが生じている身体の適宜箇所に当接させることにより当該箇所に対して手軽なマッサージを施すことができる。
また、上記のように、身体当接面部２９の中央部に設けられた凸部１９を凝りの中心部に圧接することにより、凝りの部位をより効果的にマッサージして解消させることができる。
【００２７】
この場合にも、上記身体当接面部２９全体が、凝りの生じている部位全体に対してマッサージ効果を与えることから、より効果的に使用することができる。
そして、携帯電話１２が次回の送信側電話の着信信号を受信した場合には、上述のスイッチ回路により電源部１４から駆動部１５に対する電源の供給が停止され、駆動部１５の作動が停止する。
【００２８】
本実施の形態にあっては、送信側の携帯電話によりバイブレーター本体１３の作動を制御する場合を例に説明したが、上記実施の形態に限定されず、電源スイッチ２８を手動電源供給位置にセットしておくことにより、バイブレーター本体１３のみにより作動を制御することができる。
【産業上の利用可能性】
【００２９】
本考案は、広く携帯用バイブレーターに適用することができる。
【図面の簡単な説明】
【００３０】
【図１】本考案に係るカード型バイブレーターの一実施の形態を示す斜視図である。
【図２】本考案に係るカード型バイブレーターを構成するバイブレーター本体の一実施の形態を示す平面図である。
【図３】本考案に係るカード型バイブレーターを構成するバイブレーター本体の一実施の形態を示す断面図である。
【符号の説明】
【００３１】
１０  カード型バイブレーター
１１  接続コード
１２  携帯電話
１３  バイブレーター本体
１４  電源部
１５  駆動部
１６  振動板
１７  ケース
１８  ケース本体部
１９  凸部
２０  バッテリーケース
２１  フレーム部材
２２  交換蓋  
２３  電源
２５  コネクタ
２６  イヤホンジャック
２７  モータ
２８  電源スイッチ
２９  身体当接面部
【図１】
0003126075.tif 000003
【図２】
0003126075.tif 000004
【図３】
0003126075.tif 000005